(57)【特許請求の範囲】
【請求項１】
浴槽への湯張りを行い、または前記浴槽内の湯または水を引き込んで循環加熱するように制御対象部を制御する制御部を備えた風呂釜において、
前記制御対象部が始動する前と後に前記浴槽と連結されている配管の圧力を検出する圧力検出手段と、
前記風呂釜の動作異常の種類を特定するエラー判断部とを備え、
前記制御対象部が注湯電磁弁であり、
前記エラー判断部は、前記注湯電磁弁を始動後に、前記配管内部に配置されたフローセンサのオンが確認できない場合において、前記注湯電磁弁の始動前の圧力と前記始動後の圧力の差が大きい場合には、前記配管が凍結していると特定し、
前記注湯電磁弁の始動前の圧力と前記始動後の圧力の差が小さい場合には、前記配管の内部に配置された前記フローセンサーが正常に動作していないと特定することを特徴とする風呂釜。
【請求項２】
浴槽への湯張りを行い、または前記浴槽内の湯または水を引き込んで循環加熱するように制御対象部を制御する制御部を備えた風呂釜において、
前記制御対象部が始動する前と後に前記浴槽と連結されている配管の圧力を検出する圧力検出手段と、
前記風呂釜の動作異常の種類を特定するエラー判断部とを備え、
前記制御対象部が循環ポンプであり、
前記エラー判断部は、前記循環ポンプを始動後に、前記配管の内部に配置された流水スイッチのオンが確認できない場合において、前記注湯電磁弁の始動前の圧力と前記始動後の圧力の差が大きい場合には、前記配管の内部に配置された前記流水スイッチが正常に動作していないと特定し、
前記注湯電磁弁の始動前の圧力と前記始動後の圧力の差が小さい場合には、浴槽に残水がないと特定することを特徴とする風呂釜。
【発明の詳細な説明】
【０００１】
【産業上の利用分野】
本発明は、浴槽の水または湯を循環加熱して沸かす自動風呂釜のフロー上の異常部位を特定する風呂釜に関するものである。
【０００２】
【従来の技術】
従来、このような自動風呂釜は、例えば図７に示すように構成されている。
この自動風呂釜１は、例えば複合式の給湯器を示しており、本体内に給湯用熱交換器２と、風呂用熱交換器３とを備えている。
給湯用の給湯管路４には、フローセンサ１２等が配置されており、ここから分岐して追焚き管路６に接続された分岐管路５が設けられている。この分岐管路５には、注湯電磁弁９が設けられている。
追焚き管路６は浴槽７の循環金具８に接続されて追焚き循環管路を形成しており、この追焚き管路６には、循環ポンプ１０と、風呂サーミスタ１３と、追焚き流水スイッチ１４とが配置されている。さらに、この追焚き管路６と連通した上記分岐管路５には水位センサとしての圧力センサ１１が設けられている。
【０００３】
このような自動風呂釜１では、浴槽７に湯張りを行う場合、図８に示すような注湯フローにより、注湯電磁弁９を開放し、追焚き管路６を介して温水が供給されている。
具体的には、図示しない注湯スイッチをオンすると、先ず、注湯電磁弁９が開放される（ＳＴ１）。
次に、フローセンサ１２のオン（ＳＴ２）が確認された場合は、予め設定された水位になるまで湯張りが継続される（ＳＴ３）。
湯張りを継続し、圧力センサ１１により浴槽７中の水位が設定水位に達したことを検出すると、注湯電磁弁９が閉成される（ＳＴ４）。
【０００４】
一方、フローセンサ１２のオン（ＳＴ２）を確認できない場合は、１０秒経過するまでその状態を維持し（ＳＴ５）、１０秒経過後に注湯電磁弁９を閉成する（ＳＴ６）。
そして、注湯電磁弁９の異常として、リモコン等にそのエラー・ナンバを表示している（ＳＴ７）。
【０００５】
また、浴槽７に張られた温水の追焚きを行う場合、図９に示すような追焚きフローにより、循環ポンプ１０をオンし、追焚き管路６に温水を循環させて追焚きを行う。尚、このとき、注湯電磁弁９は閉成されている。
具体的には、図示しない追焚きスイッチをオンすると、先ず、循環ポンプ１０がオンされる（ＳＴ１１）。
次に、追焚き流水スイッチ１４のオン（ＳＴ１２）が確認された場合は、風呂サーミスタ１３により、浴槽７から引き込んだ温水の温度を検出する（ＳＴ１３）。
【０００６】
その検出結果が、図示しないリモコン等により設定された設定温度の下限許容温度範囲より低い場合（ＳＴ１４）には、風呂用バーナ１５による燃焼を続け、浴槽７内の温水を所定の循環流量を維持しながら、設定温度に達するまで追焚きする（ＳＴ１５）。
そして、その検出結果が、設定温度の下限許容温度範囲以上に達した場合は、循環ポンプ１０をオフし（ＳＴ１６）、追焚きの終了を図示しない沸き上げブザーで知らせる（ＳＴ１７）。
【０００７】
一方、追焚き流水スイッチ１４のオン（ＳＴ１２）を確認できない場合は、１分経過するまでその状態を維持し（ＳＴ１８）、１分経過後に循環ポンプ１０をオフする（ＳＴ１９）。
そして、流水スイッチ１４の異常として、リモコンにそのエラー・ナンバを表示している（ＳＴ２０）。
【０００８】
尚、以上の自動運転は、図示しない制御部による制御のもとにおこなわれ、この制御は、浴槽水位（Ｐ）と注湯水量（Ｑ）によるＰ−Ｑ特性に基づいて行われる。
このＰ−Ｑ特性とは、注湯水量と浴槽水位に基づく圧力センサの出力電圧を検出することにより作成されるものである。そして、実際には、圧力センサ１１が設定水位に対応した圧力を検出すると、自動的に湯張りを停止する。
また、このＰ−Ｑ特性は、自動風呂釜が接続される浴槽の形状等によりそれぞれ異なるものであるから、器具の設置の際に各浴槽に対応して作成し、その自動風呂釜のコンピュータに記憶させるものである。
【０００９】
【発明が解決しようとする課題】
ところで、従来の自動風呂釜１にあっては、以下のような課題があった。
すなわち、自動注湯時に、注湯電磁弁９を開放しても水が流れなかったとき（フローセンサがオンしなかったとき）、注湯フロー上のどの部位で異常が生じたかによって、「注湯電磁弁異常、配管凍結またはフローセンサ異常」の３種類の異常に分かれるが、これらを例えば一律に「電磁弁異常」として、リモコンにそのエラー・ナンバで表示していた。
【００１０】
一方、自動追焚き時に、循環ポンプ１０により浴槽７内の水を循環しても追焚き流水スイッチ１４がオンしない（水が流れない）とき、追焚きフロー上のどの部位で異常が生じたかによって、「ポンプ故障、流水スイッチ異常または浴槽残水なし」の３種類の異常に分かれるが、一律に「流水スイッチ異常」として、リモコンにそのエラー・ナンバで表示していた。
【００１１】
従って、実際には、各フロー上のどの部位の異常かを判定することができず、メンテナンスにおいて、全ての部位の異常を調査しなければならず、メンテナンスの能率が低下するという問題があった。
【００１２】
この発明は、上記課題を解決するためになされたもので、リモコンに正確なエラー部位を表示することができ、メンテナンスの能率を向上させることができる風呂釜を提供することを目的としている。
【００１３】
【課題を解決するための手段】
上記目的は、請求項１の発明にあっては、浴槽への湯張りを行い、または前記浴槽内の湯または水を引き込んで循環加熱するように制御対象部を制御する制御部を備えた風呂釜において、前記制御対象部が始動する前と後に前記浴槽と連結されている配管の圧力を検出する圧力検出手段と、前記風呂釜の動作異常の種類を特定するエラー判断部とを備え、 前記制御対象部が注湯電磁弁であり、前記エラー判断部は、前記注湯電磁弁を始動後に、前記配管内部に配置されたフローセンサのオンが確認できない場合において、前記注湯電磁弁の始動前の圧力と前記始動後の圧力の差が大きい場合には、前記配管が凍結していると特定し、前記注湯電磁弁の始動前の圧力と前記始動後の圧力の差が小さい場合には、前記配管の内部に配置された前記フローセンサーが正常に動作していないと特定する風呂釜により、達成される。
【００１４】
また、上記目的は、請求項２の発明の発明にあっては、浴槽への湯張りを行い、または前記浴槽内の湯または水を引き込んで循環加熱するように制御対象部を制御する制御部を備えた風呂釜において、前記制御対象部が始動する前と後に前記浴槽と連結されている配管の圧力を検出する圧力検出手段と、前記風呂釜の動作異常の種類を特定するエラー判断部とを備え、前記制御対象部が循環ポンプであり、前記エラー判断部は、前記循環ポンプを始動後に、前記配管の内部に配置された流水スイッチのオンが確認できない場合において、前記注湯電磁弁の始動前の圧力と前記始動後の圧力の差が大きい場合には、前記配管の内部に配置された前記流水スイッチが正常に動作していないと特定し、前記注湯電磁弁の始動前の圧力と前記始動後の圧力の差が小さい場合には、浴槽に残水がないと特定する風呂釜により、達成される。
【００１６】
【作用】
本発明によれば、先ず、制御対象部の起動前後における圧力を検出する。そして、制御対象部の始動前の圧力と、始動後の圧力とを比較し、その圧力変化の有無，大小に対応させて異常の種類，即ち、フロー上の異常部位を特定する。
【００１７】
前記制御対象部が注湯電磁弁である場合には、その開放前後の圧力変化に対応させて注湯フロー上の異常の種類を特定することになる。
例えば、注湯電磁弁の開放前後における圧力変化が無い場合は、注湯電磁弁が作動せず閉成したままであると想定されるので、「電磁弁異常」と特定する。
また、注湯電磁弁の開放前後の圧力変化が小さい場合は、注湯電磁弁は開放されていると想定されるので、「フローセンサ異常」と特定する。
さらに、注湯電磁弁の開放前後の圧力変化が大きい場合は、注湯電磁弁の下流側の配管が閉塞していると想定されるので、「配管凍結」と特定する。
【００１８】
前記制御対象部が循環ポンプである場合には、その起動前後の圧力変化に対応させて追焚きフロー上の異常部位を特定することになる。
例えば、循環ポンプの起動前後における圧力変化が無い場合は、循環ポンプが起動しないと想定されるので、「ポンプ故障」と特定する。
また、循環ポンプの起動前後の圧力変化が小さい場合は、循環ポンプは起動しているが揚水されないと想定されるので、「浴槽残水なし」と特定する。
さらに、循環ポンプの起動前後の圧力変化が大きい場合は、循環ポンプは起動しているが流水スイッチが作動しないと想定されるので、「流水スイッチ異常」と特定する。
【００１９】
【実施例】
以下、本発明の好適な実施例を添付図面に基づいて詳細に説明する。
尚、以下に述べる実施例は、本発明の好適な具体例であるから、技術的に好ましい種々の限定が付されているが、本発明の範囲は、以下の説明において特に本発明を限定する旨の記載がない限り、これらの態様に限られるものではない。
【００２０】
図１は、この実施例に適用される風呂釜の主な構成を示す系統図であり、この場合には、給湯機能を備えた複合器としての自動風呂釜の構成を示している。
図において、自動風呂釜２０は、本体内に給湯用熱交換器２１と、風呂用熱交換器２３とを備えており、給湯管４５から分岐して追焚き管路２６に接続された分岐管路２５を備えている。
【００２１】
この追焚き管路２６は浴槽２７の循環金具２８に接続されて追焚き循環管路を形成しており、その戻り管２６ａには追焚き流水スイッチ３１と、温水循環用ポンプ３２とを備えている。この循環管路２６の戻り管２６ａには、風呂用熱交換器２３の入側に風呂サーミスタ３３を備えている。
【００２２】
また、水が供給される供給管４１にはフローセンサ４２と、入水サーミスタ４３が接続されており、この給水管４１から給湯用熱交換器２１を経て延びる給湯管４５には、給湯サーミスタ４６が接続されている。
給湯管４５から分岐した分岐管路２５には、注湯電磁弁３７と、水位検出手段としての圧力センサ３８とが接続されている。
【００２３】
そして、これらの各動作部、もしくは検出部等は、制御部５０に接続されており、さらに、この制御部５０にはリモコン５８が接続されている。
図２は、制御部５０に対する主な装置構成を示しており、本実施例の方法はこのような装置構成により、実現される。
【００２４】
すなわち、図２において、この制御部５０には、リモコン５８が接続されており、使用者は、リモコン５８により沸き上がり温度としての設定温度を設定する等の所定の指示を与えることができ、さらに、このリモコン５８には、図示しない注湯スイッチや追焚きスイッチ等が装備されている。
さらに、制御部５０には、前述の温水循環用ポンプ３２、注湯電磁弁３７、圧力センサ３８、給湯燃焼部５９及び風呂燃焼部６０が接続されている。各燃焼部５９，６０は、例えば給湯用バーナ５１、風呂用バーナ５２への燃料ガスの供給量を調節する比例弁５３，５４等の燃焼量の調節手段である。
【００２５】
ここで、制御部５０に内蔵された記憶部には、自動風呂釜２０の自動運転に必要なＰ−Ｑデータ等が格納されている。
すなわち、自動風呂釜２０の運転は、制御部５０によって、浴槽水位（Ｐ）と注湯水量（Ｑ）によるＰ−Ｑ特性に基づいて行われる。このＰ−Ｑ特性とは、既に説明したように、従来と同様の方式に基づいており、注湯水量と浴槽水位に基づく圧力センサ３８の出力電圧を検出することにより作成されるものである。そして、実際には、圧力センサ３８が設定水位に対応した圧力を検出すると、自動的に湯張りを停止する。
また、このＰ−Ｑ特性は、自動風呂釜が接続される浴槽の形状等によりそれぞれ異なるものであるから、器具の設置の際に各浴槽に対応して作成し、その自動風呂釜の記憶部に記憶させるものである。
【００２６】
また、制御部５０には、制御対象部６１の始動前後における圧力を圧力センサ３８により検出し、その圧力変化に対応させて異常の種類，即ち、フロー上の異常部位を特定するエラー判断部６２が接続されている。
【００２７】
このエラー判断部６２は、上記制御対象部６１が注湯電磁弁３７である場合には、その開放前後の圧力変化に対応させて注湯フロー上の異常部位を特定する。すなわち、注湯電磁弁３７の開放前の圧力と、開放後の圧力とを比較し、圧力変化の有無，大小に対応させて、「電磁弁異常，フローセンサ異常または配管凍結」の別を特定し、例えばリモコン５８にそのエラー・ナンバを表示するようになっている。
また、エラー判断部６２は、上記制御対象部６１が循環ポンプ３２である場合には、その起動前後の圧力変化に対応させて追焚きフロー上の異常部位を特定する。すなわち、循環ポンプ３２の起動前の圧力と、起動後の圧力とを比較し、その圧力変化の有無，大小に対応させて、「ポンプ故障，流水スイッチ異常または浴槽残水なし」の別を特定し、リモコン５８にそのエラー・ナンバを表示するようになっている。
【００２８】
具体的には、この自動風呂釜２０は、後述する注湯フローまたは追焚きフローに基づいて運転され、そのエラー判断部６２によって各フロー上の異常部位が特定される。
すなわち、浴槽２７に湯張りを行う場合は、図３に示すような注湯フローにより、注湯電磁弁３７を開放し、追焚き管路２６を介して温水が供給される。
先ず、図示しない注湯スイッチをオンすると、圧力センサ３８が系内静圧Ｐ１を検出し（ＳＴ２１）、次いで注湯電磁弁３７が開放される（ＳＴ２２）。
そして、フローセンサ４２のオン（ＳＴ２３）が確認された場合は、予め設定された水位（流量）になるまで湯張りが継続される（ＳＴ２４）。
湯張りを継続し、圧力センサ３８により浴槽２７中の水位が設定水位に達したことを検出すると、注湯電磁弁３７が閉成される（ＳＴ２５）。
【００２９】
一方、ＳＴ２３において、フローセンサ４２のオン（ＳＴ２３）を確認できない場合は、１０秒経過するまでその状態を維持し（ＳＴ２６）、１０秒経過後に圧力センサ３８が系内の動圧Ｐ２を再度検出し（ＳＴ２７）、その後注湯電磁弁３７を閉成する（ＳＴ２８）。
そして、エラー判断部６２が、注湯電磁弁３７の開放前の静圧Ｐ１と、開放後の動圧Ｐ２とを比較し、その圧力変化に対応させて注湯フロー上の異常部位を以下のように特定する。
【００３０】
先ず、注湯電磁弁３７の開放前後の圧力変化が大きい場合、すなわち、例えば開放後の動圧Ｐ２＞３．５Ｖである場合には（ＳＴ２９）、注湯電磁弁３７の下流側の配管が閉塞していると想定される。
従って、「配管凍結」と特定し、リモコン５８にそのエラー・ナンバを表示する（ＳＴ３０）。これは、圧力センサ３８のフルスケールを３．５Ｖとした場合の振り切り電圧値である。
【００３１】
次に、注湯電磁弁３７の開放後の動圧Ｐ２が３．５Ｖ以下であり、且つ、注湯電磁弁３７の開放前後において圧力変化が無い場合、すなわち、開放前の静圧Ｐ１＝開放後の動圧Ｐ２である場合には（ＳＴ３１）、注湯電磁弁３７が作動せず閉成したままであると想定される。
従って、「電磁弁異常」と特定し、例えばリモコン５８にそのエラー・ナンバを表示する（ＳＴ３２）。
【００３２】
そして、注湯電磁弁３７の開放前後の圧力変化が小さい場合には、注湯電磁弁３７は開放されており、正常に動作していると想定される。
従って、「フローセンサ異常」と特定し、リモコン５８にそのエラー・ナンバを表示する（ＳＴ３３）。
【００３３】
また、浴槽２７に張られた温水の追焚きを行う場合は、図４に示すような追焚きフローにより、循環ポンプ３２をオンし、追焚き管路２６に温水を循環させて追焚きを行う。尚、このとき、注湯電磁弁３７は閉成されている。
先ず、図示しない追焚きスイッチをオンすると、圧力センサ３８が系内静圧Ｐ１を検出し（ＳＴ４１）、次いで循環ポンプ３２がオンされる（ＳＴ４２）。
次に、追焚き流水スイッチ３１のオン（ＳＴ４３）が確認された場合は、風呂サーミスタ３３により、浴槽２７から引き込んだ温水の温度を検出する（ＳＴ４４）。
【００３４】
その検出結果がリモコン５８等によって予め設定された設定温度の下限許容温度範囲より低い場合には、風呂用バーナ５２による燃焼を続け、浴槽２７内の温水を所定の循環流量を維持しながら、設定温度に達するまで追焚きする（ＳＴ４５）。
そして、その検出結果が設定温度の下限許容温度範囲以上に達した場合は（ＳＴ４６）、風呂用バーナ５２を止めて追焚きを終了する（ＳＴ４７）。
その後、循環ポンプ３２をオフし（ＳＴ４８）、追焚きの終了を図示しない沸き上げブザーで知らせる（ＳＴ４９）。
【００３５】
一方、追焚き流水スイッチ３１のオン（ＳＴ４３）を確認できない場合は、１分経過するまでその状態を維持し（ＳＴ５０）、１分経過後に圧力センサ３８が系内の動圧Ｐ２を再度検出し（ＳＴ５１）、その後循環ポンプ３２をオフする（ＳＴ５２）。
そして、エラー判断部６２が、循環ポンプ３２の起動前の静圧Ｐ１と、起動後の動圧Ｐ２とを比較し、その圧力変化に対応させて追焚きフロー上の異常部位を以下のように特定する。
【００３６】
先ず、循環ポンプ３２の起動前後において圧力変化が無い場合、すなわち、起動前の静圧Ｐ１＝起動後の動圧Ｐ２である場合には（ＳＴ５３）、循環ポンプ３２が起動しないと想定される。
従って、「ポンプ故障」と特定し、例えばリモコン５８にそのエラー・ナンバを表示する（ＳＴ５４）。
【００３７】
次に、循環ポンプ３２の起動前の静圧Ｐ１と起動後の動圧Ｐ２とが異なり、且つ、循環ポンプ３２の起動前後の圧力変化が小さく、特定値である場合、すなわち、起動後の動圧Ｐ２＝ＸＶである場合には（ＳＴ５５）、循環ポンプ３２は起動しているが揚水されないと想定される。
従って、「浴槽残水なし」と特定し、リモコン５８にそのエラー・ナンバを表示する（ＳＴ５６）。
ここで、「ＸＶ」としたのは、配管条件によって、値にバラツキがあるからである。すなわち、通常、浴槽と器具本体との位置関係が、常に水平に設置されるわけではなく、相対的に上下関係を有するように施工されている。浴槽の位置が器具より高い程、配管内の圧力は高くなり、検出電圧値は高くなる。逆に器具に対して浴槽の位置が低いと、検出電圧値は低くなり、器具を設置する条件が個々の建物により異なるので、上記特定値ＸＶを一義的に決定することはできない。
そこで、上記特定値ＸＶは、器具本体の施工時において、始めて運転される際の自動記憶運転モードにおいて、個々の設置条件に応じて記憶するようにするとよい。
【００３８】
そして、循環ポンプ３２の起動前後の圧力変化が大きい場合は、循環ポンプ３２は起動しているが流水スイッチ３１が作動しないと想定される。
従って、「流水スイッチ異常」と特定し、例えばリモコン５８にそのエラー・ナンバを表示する（ＳＴ５７）。
【００３９】
上記ステップ５７（ＳＴ５７）についても、自動運転記憶モードで学習が可能であり、図５は、その学習した数値Ｐｘを採用した追焚きフローの第１の変形例である。この第１の変形例は、上述した実施例におけるＳＴ５２に継続する。
すなわち、循環ポンプ３２をオフした後（ＳＴ５２）、エラー判断部６２により、追焚きフロー上の異常部位を以下のように特定する。
【００４０】
先ず、循環ポンプ３２の起動前後において圧力変化が無い場合、すなわち、起動前の静圧Ｐ１＝起動後の動圧Ｐ２である場合には（ＳＴ６３）、循環ポンプ３２が起動しないと想定される。
従って、「ポンプ故障」と特定し、例えばリモコン５８にそのエラー・ナンバを表示する（ＳＴ６４）。
【００４１】
次に、循環ポンプ３２の起動前の静圧Ｐ１と起動後の動圧Ｐ２とが異なり、且つ、循環ポンプ３２の起動後の動圧Ｐ２＝起動前の静圧Ｐ１＋学習した数値Ｐｘである場合には（ＳＴ６５）、循環ポンプ３２は起動しているが流水スイッチ３１が作動しないと想定される。
従って、「流水スイッチ異常」と特定し、例えばリモコン５８にそのエラー・ナンバを表示する（ＳＴ６６）。
【００４２】
そして、循環ポンプ３２の起動前後の圧力変化が学習した数値Ｐｘよりも小さい場合には、循環ポンプ３２は起動しているが揚水されないと想定される。
従って、「浴槽残水なし」と特定し、例えばリモコン５８にそのエラーナンバを表示する（ＳＴ６７）。
【００４３】
また、図６は、自動運転記憶モードによる学習を行わないで正確なエラー判断を行うための追焚きフローの第２の変形例である。この第２の変形例は、上述した実施例におけるＳＴ５２に継続する。
すなわち、循環ポンプ３２をオフした後（ＳＴ５２）、圧力センサ３８が系内の静圧Ｐ３を再度検出し（ＳＴ７３）、エラー判断部６２により、追焚きフロー上の異常部位を以下のように特定する。
【００４４】
先ず、循環ポンプ３２の起動前後において圧力変化が無い場合、すなわち、起動前の静圧Ｐ１＝起動後の動圧Ｐ２である場合には（ＳＴ７４）、循環ポンプ３２が起動しないと想定される。
従って、「ポンプ故障」と特定し、例えばリモコン５８にそのエラー・ナンバを表示する（ＳＴ７５）。
【００４５】
次に、循環ポンプ３２の起動前の静圧Ｐ１と起動後の動圧Ｐ２とが異なり、且つ、起動前の静圧Ｐ１＝再度検出した静圧Ｐ３である場合には（ＳＴ７６）、循環ポンプ３２は起動しているが流水スイッチ３１が作動しないと想定される。
従って、「流水スイッチ異常」と特定し、例えばリモコン５８にそのエラー・ナンバを表示する（ＳＴ７７）。
【００４６】
そして、循環ポンプ３２の起動前の静圧Ｐ１と起動後の動圧Ｐ２とが異なり、且つ、起動前の静圧Ｐ１と再度検出した静圧Ｐ３とが異なる場合には、循環ポンプ３２は起動しているが揚水されないと想定される。
従って、「浴槽残水なし」と特定し、例えばリモコン５８にそのエラー・ナンバを表示する（ＳＴ７８）。
【００４７】
かくして、この実施例によれば、例えばリモコン５８に正確な異常の種類，即ち、エラー部位を表示することができる。
すなわち、注湯フローにより浴槽２７に湯張りを行う場合は、注湯電磁弁３７の開放前後の圧力変化の有無，大小に対応させて、エラー判断部６２が「電磁弁異常，フローセンサ異常または配管凍結」の別を特定し、例えば、リモコン５８を用いて正確なエラー・ナンバを表示する等といったエラー表示を行うことができる。
また、追焚きフローにより浴槽２７に張られた温水の追焚きを行う場合は、循環ポンプ３２の起動前後の圧力変化の有無，大小に対応させて、エラー判断部６２が「ポンプ故障，流水スイッチ異常または浴槽残水なし」の別を特定し、リモコン５８等にに正確なエラー表示を行うことができる。
従って、メンテナンスの際に各フロー上の正確なエラー部位を把握することができるので、メンテナンスの能率を向上させることができるものである。
【００４８】
尚、上述の実施例では、本発明を複合型の自動風呂釜に適用した例を説明したが、本発明はこれに限らず、追焚き用の循環管路を備える自動風呂釜の全てに適用できることは勿論である。
【００４９】
【発明の効果】
以上述べたように、本発明に係る風呂釜によれば、リモコンに正確なエラー部位を表示することができ、メンテナンスの能率を向上させることができる。
【図面の簡単な説明】
【図１】本発明の好適な実施例に適用される風呂釜の要部の構成を示す系統図。
【図２】制御部と各要素の接続を示す図。
【図３】本実施例における風呂釜のエラー判定方法を表す注湯フロー図。
【図４】本実施例における風呂釜のエラー判定方法を表す追焚きフロー図。
【図５】第１の変形例における風呂釜のエラー判定方法を表す追焚きフロー図。
【図６】第２の変形例における風呂釜のエラー判定方法を表す追焚きフロー図。
【図７】従来の風呂釜の要部の構成を示す系統図。
【図８】従来の風呂釜のエラー判定方法を表す注湯フロー図。
【図９】従来の風呂釜のエラー判定方法を表す追焚きフロー図。
【符号の説明】
２０    自動風呂釜
２１    給湯用熱交換器
２３    風呂用熱交換器
２５    分岐管路
２６    追焚き管路
２６ａ  戻り管
２７    浴槽
２８    循環金具
３１    追焚き流水スイッチ
３２    温水循環用ポンプ
３３    風呂サーミスタ
３７    注湯電磁弁
３８    圧力センサ
４１    供給管
４２    フローセンサ
４３    入水サーミスタ
４５    給湯管
４６    給湯サーミスタ
５０    制御部
５１    給湯用バーナ
５２    風呂用バーナ
５３    比例弁
５４    比例弁
５８    リモコン
５９    給湯燃焼部
６０    風呂燃焼部
６１    制御対象部
６２    エラー判断部
【図１】
0003713061.tif 000002
【図２】
0003713061.tif 000003
【図３】
0003713061.tif 000004
【図４】
0003713061.tif 000005
【図５】
0003713061.tif 000006
【図６】
0003713061.tif 000007
【図７】
0003713061.tif 000008
【図８】
0003713061.tif 000009
【図９】
0003713061.tif 000010